(57)【要約】  本発明は、クラスタシステムリソース割当て方法及び装置を提供する。当該方法は、グループ通話が呼び出された時、クラスタサーバーは、各ＭＣＥが前記グループ通話に割当てた及び事前割当てたＭＢＳＦＮ領域情報により、各ＭＣＥがグループ通話に既に割当てた及び予め割当てた全てのＭＢＳＦＮ領域における端末の数を統計することと、前記グループ通話の進行中に、各ＭＣＥが前記グループ通話に割当てた及び事前割当てた全てのＭＢＳＦＮ領域における端末の数を改めて統計することと、各ＭＢＳＦＮ領域に対して、当該ＭＢＳＦＮ領域における端末が数が０から非０になったと確定された場合、クラスタサーバーが当該ＭＢＳＦＮ領域において前記グループ通話にリソースを割当てるプロセスを呼び出すことと、当該ＭＢＳＦＮ領域における端末の数が非０から０になったことと確定された場合、クラスタサーバーが当該ＭＢＳＦＮ領域において前記グループ通話に割当てたリソースをリリースするプロセスを呼び出すこととを含む。本発明は、既存のグループ通話を受信するＭＢＳＦＮ領域の固定配置によるリソースの無駄使いという課題が解決されている。
2015529421.tif 000002
【特許請求の範囲】
【請求項１】
グループ通話が呼び出された時、クラスタサーバーは、各マルチセルマルチキャストコーディネーションエンティティＭＣＥが前記グループ通話に既に割当てた及び予め割当てたマルチキャストブロードキャストシングル周波数ネットワークＭＢＳＦＮ領域情報により、各ＭＣＥが前記グループ通話に既に割当てた及び予め割当てた全てのＭＢＳＦＮ領域における端末の数を統計することと、
前記グループ通話の進行中に、端末がグループ通話へのアクセスを遅延、グループ通話応答状態端末がグループ通話をログアウト、又はグループ通話応答状態端末が異なるＭＢＳＦＮ領域で移動する場合、前記クラスタサーバーが、各ＭＣＥが前記グループ通話に既に割当てた及び予め割当てた全てのＭＢＳＦＮ領域における端末の数を改めて統計することと、
各ＭＢＳＦＮ領域に対して、当該ＭＢＳＦＮ領域における端末の数が０から非０になったと確定された場合、前記クラスタサーバーが当該ＭＢＳＦＮ領域において前記グループ通話にリソースを割当てるプロセスを呼び出し、当該ＭＢＳＦＮ領域における端末の数が非０から０になったことと確定された場合、クラスタサーバーが当該ＭＢＳＦＮ領域において前記グループ通話に割当てたリソースをリリースするプロセスを呼び出すことと、
を含むクラスタシステムリソース割当て方法。
【請求項２】
前記クラスタサーバーは、
前記クラスタサーバーが移動性管理エンティティＭＭＥによりグループ内の各端末に対して前記グループ通話を呼び出すことと、
前記クラスタサーバーがＭＭＥにより前記各端末の状態を判断することと、
各端末に対して、当該端末がアイドル状態にあると判断された場合、前記クラスタサーバーがＭＭＥによりページングメッセージを、当該端末のトラッキングエリアリスト内の基地局に送信し、当該端末のある基地局にグループ通話にアクセスする端末のＩＤ情報、一時移動グループアイデンティティＴＭＧＩ及びＭＣＥが前記グループ通話に既に割当てた又は予め割当てたＭＢＳＦＮ領域情報をアップロードするように通知することと、
当該端末が接続状態にあると判断された場合、前記クラスタサーバーがＭＭＥにより当該端末の属する基地局に専用制御チャネルＤＣＣＨメッセージを送信し、当該基地局にグループ通話にアクセスする端末のＩＤ情報、ＴＭＧＩ及びＭＣＥが前記グループ通話にすでに割当てた又は予め割当てたＭＢＳＦＮ領域情報をアップロードするように通知することと、
の方式により、各ＭＣＥが前記グループ通話に予め割当てたＭＢＳＦＮ領域情報を取得する請求項１に記載の方法。
【請求項３】
端末がグループ通話へのアクセスを遅延する場合、前記クラスタサーバーは、
前記グループ通話へのアクセスを遅延する端末の所属する基地局により転送された、ＭＣＥが前記グループ通話に既に割当てた又は予め割当てたＭＢＳＦＮ領域情報を受信した場合、当該ＭＢＳＦＮ領域における端末の数に１をプラスすることにより、
各ＭＣＥが前記グループ通話に割当てた及び予め割当てた全てのＭＢＳＦＮ領域における端末の数を改めて統計する請求項１に記載の方法。
【請求項４】
グループ通話状態端末がログアウトした場合、前記クラスタサーバーは、
グループ通話をログアウトした端末の所属する基地局により転送されたＭＣＥが、前記クラスタサーバーはが受信した、前記グループ通話に割当てたＭＢＳＦＮ領域情報である場合、当該ＭＢＳＦＮ領域における端末の数から１をマイナスすることにより、
各ＭＣＥが前記グループ通話に既に割当てた、及び予め割当てた全てのＭＢＳＦＮ領域における端末の数を改めて統計する請求項１に記載の方法。
【請求項５】
グループ通話状態端末が、異なるＭＢＳＦＮ領域で移動する場合、前記クラスタサーバーは、
異なるＭＢＳＦＮ領域で移動する端末の所属するターゲット基地局により転送された、当該ターゲット基地局に所属するＭＣＥが、前記クラスタサーバーが受信した、前記グループ通話に既に割当てた又は予め割当てたＭＢＳＦＮ領域情報であるた場合、当該ＭＢＳＦＮ領域における端末の数に１をプラスして、当該端末のあるソース基地局に所属するＭＣＥが前記グループ通話に既に割り当てたＭＢＳＦＮ領域における端末の数から１をマイナスすることにより、
各ＭＣＥが前記グループ通話に既に割り当てた及び予め割当てた全てのＭＢＳＦＮ領域における端末の数を改めて統計する請求項１に記載の方法。
【請求項６】
前記クラスタサーバーは、拡張したマルチメディアブロードキャストマルチキャストサービスセッションの開始／更新プロセスを呼び出すことにより、ＭＣＥが前記グループ通話に予め割当てたＭＢＳＦＮ領域において、前記グループ通話にリソースを割当て、ＭＣＥが前記グループ通話に既に割当てたＭＢＳＦＮ領域におけるリソースをリリースするように、ＭＣＥに通知する請求項１〜５の何れか一項に記載の方法。
【請求項７】
グループ通話が呼び出された時、各マルチセルマルチキャストコーディネーションエンティティＭＣＥが前記グループ通話に割当てた及び予め割当てたＭＢＳＦＮ領域情報により、各ＭＣＥが前記グループ通話に既に割当てた及び予め割当てた全てのＭＢＳＦＮ領域における端末の数を統計し、前記グループ通話の進行中に、端末がグループ通話へのアクセスを遅延、グループ通話応答状態端末がグループ通話をログアウト、又はグループ通話応答状態端末が異なるＭＢＳＦＮ領域で移動する場合、クラスタサーバーが、各ＭＣＥが前記グループ通話に既に割当てた及び予め割当てた全てのＭＢＳＦＮ領域における端末の数を改めて統計する統計モジュールと、
統計モジュールにより統計された各ＭＢＳＦＮ領域に対して、当該ＭＢＳＦＮ領域における端末の数が０から非０になったと確定された場合、当該ＭＢＳＦＮ領域において前記グループ通話にリソースを割当てるプロセスを呼び出し、当該ＭＢＳＦＮ領域における端末の数が非０から０になったことと確定された場合、当該ＭＢＳＦＮ領域において前記グループ通話に割当てたリソースをリリースするプロセスを呼び出す呼出しモジュールと、
を含むクラスタシステムにおけるグループ通話リソース割り当て装置。
【請求項８】
前記統計モジュールは、移動性管理エンティティＭＭＥによりグループ内の各端末に対して前記グループ通話を呼び出し、ＭＭＥにより前記各端末の状態を判断して、各端末に対して、当該端末がアイドル状態にあると判断された場合、ＭＭＥによりページングメッセージを、当該端末のトラッキングエリアリスト内の基地局に送信し、当該端末のある基地局にグループ通話にアクセスする端末のＩＤ情報、ＴＭＧＩ及びＭＣＥが前記グループ通話に既に割当てた又は予め割当てたＭＢＳＦＮ領域情報をアップロードするように通知して、当該端末が接続状態にあると判断された場合、ＭＭＥにより当該端末の属する基地局に専用制御チャネルＤＣＣＨメッセージを送信し、当該基地局にグループ通話にアクセスする端末のＩＤ情報、ＴＭＧＩ及びＭＣＥが前記グループ通話にすでに割当てた又は予め割当てたＭＢＳＦＮ領域情報をアップロードするように通知する請求項７に記載の装置。
【請求項９】
前記統計モジュールは、グループ通話へのアクセスを遅延する端末の所属する基地局により転送されたＭＣＥが、受信された前記グループ通話に既に割当てた又は予め割当てたＭＢＳＦＮ領域情報である場合、当該ＭＢＳＦＮ領域における端末の数に１をプラスする請求項７に記載の装置。
【請求項１０】
前記統計モジュールは、グループ通話をログアウトした端末の所属する基地局により転送されたＭＣＥが、受信された前記グループ通話に割当てたＭＢＳＦＮ領域情報であるした場合、当該ＭＢＳＦＮ領域における端末の数から１をマイナスする請求項７に記載の装置。
【請求項１１】
前記統計モジュールは、異なるＭＢＳＦＮ領域で移動する端末の所属するターゲット基地局により転送された当該ターゲット基地局に所属するＭＣＥが、前記クラスタサーバーが受信した、前記グループ通話に既に割当てた又は予め割当てたＭＢＳＦＮ領域情報である場合、当該ＭＢＳＦＮ領域における端末の数に１をプラスして、当該端末のあるソース基地局に所属するＭＣＥが前記グループ通話に既に割り当てたＭＢＳＦＮ領域における端末の数から１をマイナスする請求項７に記載の装置。
【請求項１２】
前記呼出しモジュールは、拡張したマルチメディアブロードキャストマルチキャストサービスセッションの開始／更新プロセスを呼び出すことにより、ＭＣＥが前記グループ通話に予め割当てたＭＢＳＦＮ領域において、前記グループ通話にリソースを割当て、ＭＣＥが前記グループ通話に既に割当てたＭＢＳＦＮ領域におけるリソースをリリースするように、ＭＣＥに通知する請求項７〜１１の何れか一項に記載の装置。
【発明の詳細な説明】
【技術分野】
【０００１】
本発明は通信分野に関し、特には、クラスタシステムにおけるグループ通話リソース割当て方法及び装置に関するものである。
【背景技術】
【０００２】
クラスタ通信サービスは、半二重双方向サービスで、一対多数を実現するサービスであり、その特徴は、クラスタサーバーがクラスタ通話サービスを呼び出すとともに、その音声情報が同時に事前に定義されたクラスタグループ内の各メンバーに送信され、且つサービス確立のスピードが早いことにある。
【０００３】
第４世代移動通信長期間進化（Ｌｏｎｇ  Ｔｅｒｍ  Ｅｖｏｌｕｔｉｏｎ、ＬＴＥ）システムにおいて、拡張されたマルチメディアブロードキャストマルチキャストサービス（Ｅｎｈａｎｃｅｄ  Ｍｕｌｔｉｍｅｄｉａ  Ｂｒｏａｄｃａｓｔ  Ｍｕｌｔｉｃａｓｔ  Ｓｅｒｖｉｃｅ、ｅＭＢＭＳ）が導入され、映像機能を有する端末が物理マルチキャストチャネル（Ｐｈｙｓｉｃａｌ  Ｍｕｌｔｉｃａｓｔｓ  Ｃｈａｎｎｅｌ、ＰＭＣＨ）を介しブロードキャスト／マルチキャスト形式のデジタル音声／映像サービスを受けることに適用される。
【０００４】
ｅＭＢＭＳサービスの特徴を鑑みて、それをクラスタグループ通話端末（ユーザともいう）のデータ伝送機能を実現することに用いることができ、具体的には、一次ｅＭＢＭＳサービスの受送信を、一次グループ通話端末データの受送信にして、一時移動グループアイデンティティ（Ｔｅｍｐｏｒａｒｙ  Ｍｏｂｉｌｅ  Ｇｒｏｕｐ  Ｉｄｅｎｔｉｔｙ、ＴＭＧＩ）をクラスタグループのアイデンティティとして、ユーザ端末（Ｕｓｅｒ  Ｅｑｕｉｐｍｅｎｔ、ＵＥ）がグループ情報更新プロセスにより現在所属するグループのＴＭＧＩを取得し、ｅＭＢＭＳプロセスにおいて、主にＴＭＧＩによりＵＥの所属するグループであるか否かを判定する。
【０００５】
現在のｅＭＢＭＳ技術におけるマルチキャストブロードキャストシングル周波数ネットワーク（Ｍｕｌｔｉｃａｓｔ  Ｂｒｏａｄｃａｓｔ  Ｓｉｎｇｌｅ  Ｆｒｅｑｕｅｎｅｙ  Ｎｅｔｗｏｒｋ  ＭＢＳＦＮ）領域は、ほとんど静的に配置されたもので、操作とメンテナンス（Ｏｐｅｒａｔｉｏｎ  ａｎｄ  Ｍａｉｎｔｅｎａｎｃｅ、Ｏ＆Ｍ）により修正でき、その範囲は１グループのセルを含み、同一ＭＢＳＦＮ領域におけるＰＭＣＨの配置が全く同様であり、同期（ｓｙｎｃｈｒｏｎｉｚａｔｉｏｎｇ、ｓｙｎｃ）プロトコルにより、端末が、ＭＢＳＦＮ領域で移動するとき、取得するデータも連続的なものであることが確保できる。ＭＢＳＦＮ領域が十分に大きく割当てられた場合、端末が移動してターゲットセルに入った時、ｅＭＢＭＳサービスのリソース再割当て確率を減少し、サービスの中断を低減することができるが、ＭＢＳＦＮ領域があまり大きく割当てられると、ｅＭＢＭＳサービス／グループ通話を受信しようとする端末がないセルがあるので、リソースの無駄になりうる。
【０００６】
このように、端末が異なるＭＢＳＦＮ領域にある場合、ｅＭＢＭＳサービス／グループ通話が呼び出されたとき、クラスタサーバーがｅＭＢＭＳサービス／グループ通話を受信すべき端末がそれぞれどのＭＢＳＦＮ領域にあるかを承知しないため、いずれのＭＢＳＦＮ領域にリソースを割当てるかを正確に確定できなくなる。ｅＭＢＭＳサービス／グループ通話に対して、ＭＢＳＦＮ領域において固定的にリソースを割当てる方式を採用すると、端末がこれらのＭＢＳＦＮ領域にないことがあるので、リソースの無駄になるのみならず、ｅＭＢＭＳサービス／グループ通話が直ちに受信されず、ｅＭＢＭＳサービス／グループ通話のリアルタイム性が低くなる。従来技術には、適切なリソース割当て方法がない。
【発明の概要】
【発明が解決しようとする課題】
【０００７】
本発明の実施例は、従来のグループ通話を受信するＭＢＳＦＮ領域の固定的配置によるリソースの無駄使いという課題を解決するために、クラスタシステムにおけるグループ通話リソース割当て方法及び装置を提供する。
【課題を解決するための手段】
【０００８】
上記課題に基づき、本発明の実施例は、グループ通話が呼び出された時、クラスタサーバーは、各マルチセルマルチキャストコーディネーションエンティティ（Ｍｕｌｔｉ−ｃｅｌｌ／Ｍｕｌｔｉｃａｓｔ  Ｃｏｏｒｄｉｎａｔｉｏｎ  Ｅｎｔｉｔｙ、ＭＣＥ）が前記グループ通話に既に割当てた、及び予め割当てたマルチキャストブロードキャストシングル周波数ネットワークＭＢＳＦＮ領域情報により、各ＭＣＥが前記グループ通話に既に割当てた、及び予め割当てた全てのＭＢＳＦＮ領域における端末の数を統計することと、前記グループ通話の進行中に、端末がグループ通話へのアクセスを遅延、グループ通話応答状態端末がグループ通話をログアウト、又はグループ通話応答状態端末が異なるＭＢＳＦＮ領域で移動する場合、クラスタサーバーが、各ＭＣＥが前記グループ通話に既に割当てた及び予め割当てた全てのＭＢＳＦＮ領域における端末の数を改めて統計することと、各ＭＢＳＦＮ領域に対して、当該ＭＢＳＦＮ領域における端末の数が０から非０になったと確定された場合、クラスタサーバーが当該ＭＢＳＦＮ領域において前記グループ通話にリソースを割当てるプロセスを呼び出すことと、当該ＭＢＳＦＮ領域における端末の数が非０から０になったことと確定された場合、クラスタサーバーが当該ＭＢＳＦＮ領域において前記グループ通話に割当てたリソースをリリースするプロセスを呼び出すこととを含むクラスタシステムリソース割当て方法を提供する。
【０００９】
前記クラスタサーバーが移動性管理エンティティＭＭＥによりグループ内の各端末に対して前記グループ通話を呼び出すことと、前記クラスタサーバーがＭＭＥにより前記各端末の状態を判断することと、各端末に対して、当該端末がアイドル状態にあると判断された場合、前記クラスタサーバーがＭＭＥによりページングメッセージを、当該端末のトラッキングエリアリスト内の基地局に送信し、当該端末のある基地局にグループ通話にアクセスする端末のＩＤ情報、一時移動グループアイデンティティＴＭＧＩ及びＭＣＥが前記グループ通話に既に割当てた又は予め割当てたＭＢＳＦＮ領域情報をアップロードするように通知することと、当該端末が接続状態にあると判断された場合、前記クラスタサーバーがＭＭＥにより当該端末の属する基地局に専用制御チャネルＤＣＣＨメッセージを送信し、当該基地局にグループ通話にアクセスする端末のＩＤ情報、ＴＭＧＩ及びＭＣＥが前記グループ通話にすでに割当てた又は予め割当てたＭＢＳＦＮ領域情報をアップロードするように通知することとにより、前記クラスタサーバーは各ＭＣＥが前記グループ通話に事前割当てたＭＢＳＦＮ領域情報を取得することが好ましい。
【００１０】
端末がグループ通話へのアクセスを遅延する場合、前記クラスタサーバーは、グループ通話へのアクセスを遅延する端末の所属する基地局により転送された、ＭＣＥが前記グループ通話に既に割当てた又は予め割当てたＭＢＳＦＮ領域情報を受信した場合、当該ＭＢＳＦＮ領域における端末の数に１をプラスすることにより、各ＭＣＥが前記グループ通話に割当てた及び予め割当てた全てのＭＢＳＦＮ領域における端末の数を改めて統計することが好ましい。
【００１１】
グループ通話状態端末がログアウトした場合、前記クラスタサーバーは、グループ通話をログアウトした端末の所属する基地局により転送されたＭＣＥが、前記クラスタサーバーはが受信した、前記グループ通話に割当てたＭＢＳＦＮ領域情報である場合、当該ＭＢＳＦＮ領域における端末の数から１をマイナスすることにより、各ＭＣＥが前記グループ通話に既に割当てた、及び予め割当てた全てのＭＢＳＦＮ領域における端末の数を改めて統計することが好ましい。
【００１２】
グループ通話状態端末が、異なるＭＢＳＦＮ領域で移動する場合、前記クラスタサーバーは、異なるＭＢＳＦＮ領域で移動する端末の所属するターゲット基地局により転送された、当該ターゲット基地局に所属するＭＣＥが、前記クラスタサーバーが受信した、前記グループ通話に既に割当てた、又は予め割当てたＭＢＳＦＮ領域情報である場合、当該ＭＢＳＦＮ領域における端末の数に１をプラスして、当該端末のあるソース基地局に所属するＭＣＥが前記グループ通話に既に割り当てたＭＢＳＦＮ領域における端末の数から１をマイナスすることにより、各ＭＣＥが前記グループ通話に既に割り当てた、及び予め割当てた全てのＭＢＳＦＮ領域における端末の数を改めて統計することが好ましい。
【００１３】
前記クラスタサーバーは、拡張したマルチメディアブロードキャストマルチキャストサービスセッションの開始／更新プロセスを呼び出すことにより、ＭＣＥが前記グループ通話に予め割当てたＭＢＳＦＮ領域において、前記グループ通話にリソースを割当て、ＭＣＥが前記グループ通話に既に割当てたＭＢＳＦＮ領域におけるリソースをリリースするように、ＭＣＥに通知することが好ましい。
【００１４】
本発明の実施例は、グループ通話が呼び出された時、各マルチセルマルチキャストコーディネーションエンティティＭＣＥが前記グループ通話に割当てた及び予め割当てたＭＢＳＦＮ領域情報により、各ＭＣＥが前記グループ通話に既に割当てた及び予め割当てた全てのＭＢＳＦＮ領域における端末の数を統計し、前記グループ通話の進行中に、端末がグループ通話へのアクセスを遅延、グループ通話応答状態端末がグループ通話をログアウト、又はグループ通話応答状態端末が異なるＭＢＳＦＮ領域で移動する場合、クラスタサーバーが、各ＭＣＥが前記グループ通話に既に割当てた及び予め割当てた全てのＭＢＳＦＮ領域における端末の数を改めて統計する統計モジュールと、統計モジュールにより統計された各ＭＢＳＦＮ領域に対して、当該ＭＢＳＦＮ領域における端末の数が０から非０になったと確定された場合、当該ＭＢＳＦＮ領域において前記グループ通話にリソースを割当てるプロセスを呼び出し、当該ＭＢＳＦＮ領域における端末の数が非０から０になったことと確定された場合、当該ＭＢＳＦＮ領域において前記グループ通話に割当てたリソースをリリースするプロセスを呼び出す呼出しモジュールとを含むクラスタサーバーを提供する。
【００１５】
前記統計モジュールは、ＭＭＥによりグループ内の各端末に対して前記グループ通話を呼び出し、ＭＭＥにより前記各端末の状態を判断して、各端末に対して、当該端末がアイドル状態にあると判断された場合、ＭＭＥによりページングメッセージを、当該端末のトラッキングエリアリスト内の基地局に送信し、当該端末のある基地局にグループ通話にアクセスする端末のＩＤ情報、ＴＭＧＩ及びＭＣＥが前記グループ通話に既に割当てた又は予め割当てたＭＢＳＦＮ領域情報をアップロードするように通知して、当該端末が接続状態にあると判断された場合、ＭＭＥにより当該端末の属する基地局に専用制御チャネルＤＣＣＨメッセージを送信し、当該基地局にグループ通話にアクセスする端末のＩＤ情報、ＴＭＧＩ及びＭＣＥが前記グループ通話にすでに割当てた又は予め割当てたＭＢＳＦＮ領域情報をアップロードするように通知することが好ましい。
【００１６】
前記統計モジュールは、グループ通話へのアクセスを遅延する端末の所属する基地局により転送されたＭＣＥが、受信された前記グループ通話に既に割当てた又は予め割当てたＭＢＳＦＮ領域情報である場合、当該ＭＢＳＦＮ領域における端末の数に１をプラスすることが好ましい。
【００１７】
前記統計モジュールは、グループ通話をログアウトした端末の所属する基地局により転送されたＭＣＥが、受信された前記グループ通話に割当てたＭＢＳＦＮ領域情報である場合、当該ＭＢＳＦＮ領域における端末の数から１をマイナスすることが好ましい。
【００１８】
前記統計モジュールは、異なるＭＢＳＦＮ領域で移動する端末の所属するターゲット基地局により転送された、当該ターゲット基地局に所属するＭＣＥが、前記クラスタサーバーが受信した、前記グループ通話に既に割当てた又は予め割当てたＭＢＳＦＮ領域情報である場合、当該ＭＢＳＦＮ領域における端末の数に１をプラスして、当該端末のあるソース基地局に所属するＭＣＥが前記グループ通話に既に割り当てたＭＢＳＦＮ領域における端末の数から１をマイナスするが好ましい。
【００１９】
前記呼出しモジュールは、拡張したマルチメディアブロードキャストマルチキャストサービスセッションの開始／更新プロセスを呼び出すことにより、ＭＣＥが前記グループ通話に予め割当てたＭＢＳＦＮ領域において、前記グループ通話にリソースを割当て、ＭＣＥが前記グループ通話に既に割当てたＭＢＳＦＮ領域におけるリソースをリリースするように、ＭＣＥに通知することが好ましい。
【００２０】
本発明の実施例の有益な効果
本発明の実施例に係わるクラスタシステムにおけるグループ通話リソース割当て方法及び装置によると、当該方法が実現されるとき、クラスタサーバーによりグループ通話が呼出された場合、各ＭＣＥがグループ通話に既に割り当てたＭＢＳＦＮ領域における端末の数が統計され、後続の前記グループ通話の進行中に、端末がグループ通話へのアクセスを遅延、グループ通話状態端末がグループ通話をログアウト、又はグループ通話状態端末が異なるＭＢＳＦＮ領域で移動するとき、クラスタサーバーにより各ＭＣＥがグループ通話に既に割り当てた及び予め割当てた全てのＭＢＳＦＮ領域における端末の数が改めて統計され、ＭＢＳＦＮ領域における端末の数が０から非０になると確定された場合、当該ＭＢＳＦＮ領域においてグループ通話にリソースを割当てるプロセスを呼出し、ＭＢＳＦＮ領域における端末の数が非０から０になったと確定された場合、クラスタサーバーが当該ＭＢＳＦＮ領域においてグループ通話に割当てたリソースをリリースするプロセスを呼び出すことになっている。本発明の実施例は、各ＭＢＳＦＮ領域において、グループ通話を受信する端末の数により、グループ通話に対してリソースを割当て、リアルタイムの更新とメンテナンスに有利し、既存のグループ通話において、ＭＢＳＦＮ領域の固定配置によるリソースの無駄使いという課題が回避されている。
【図面の簡単な説明】
【００２１】
【図１】本発明の実施例に係わるクラスタシステムにおけるグループ通話リソース割当て方法のフローチャート図である。
【図２】本発明の実施例に係わるクラスタサーバーがグループ通話に対応する各ＭＢＳＦＮ領域における端末の数を統計するフローチャート図である。
【図３】本発明の実施例に係わるクラスタシステムにおけるグループ通話リソース割当て装置の構造ブロック図である。
【発明を実施するための形態】
【００２２】
以下、図面を参照しながら、本発明の実施例に係わるクラスタシステムにおけるグループ通話リソース割当て方法及び装置の具体的な実施形態を説明する。
【００２３】
本発明の実施例に係わるクラスタシステムにおけるグループ通話リソース割当て方法は、図１に示すように、具体的には、以下のようなステップを含む。
【００２４】
Ｓ１０１について、グループ通話が呼び出された時、クラスタサーバーは、各ＭＣＥがグループ通話に既に割り当てた及び予め割当てたＭＢＳＦＮ領域状態により、各ＭＣＥがグループ通話に割り当てた及び予め割当てた全てのＭＢＳＦＮ領域における端末の数を統計する。
【００２５】
Ｓ１０２について、グループ通話の進行中に、端末がグループ通話へのアクセスを遅延、グループ通話応答状態端末がグループ通話をログアウト、又はグループ通話応答状態端末が異なるＭＢＳＦＮ領域で移動する場合、クラスタサーバーは、各ＭＣＥが前記グループ通話に割当て済み及び事前割当ての全てのＭＢＳＦＮ領域における端末の数を改めて統計する。
【００２６】
Ｓ１０３について、各ＭＢＳＦＮ領域に対して、クラスタサーバーが改めて統計した各ＭＢＳＦＮ領域における端末の数を判断し、ＭＢＳＦＮ領域における端末の数が０から非０になったと確定された場合、ステップＳ１０４を実行し、ＭＢＳＦＮ領域における端末の数が非０から０になったことと確定された場合、ステップＳ１０５を実行する。
【００２７】
Ｓ１０４について、クラスタサーバーがＭＢＳＦＮ領域において前記グループ通話にリソースを割当てるプロセスを呼び出す。
【００２８】
Ｓ１０５について、クラスタサーバーがＭＢＳＦＮ領域におけるリソースをリリースするプロセスを呼び出す。
【００２９】
図２に示すように、上記ステップＳ１０１におけるクラスタサーバーは、下記プロセスにより各ＭＣＥがグループ通話に既に割り当てた及び予め割当てたＭＢＳＦＮ領域情報を取得することが好ましい。
【００３０】
Ｓ２０１について、クラスタサーバーが移動性管理エンティティ（Ｍｏｂｉｌｉｔｙ  Ｍａｎａｇｅｎｍｅｎｔ  Ｅｎｔｉｔｙ、ＭＭＥ）によりグループ内の各端末に対して前記グループ通話を呼び出す。
【００３１】
Ｓ２０２について、クラスタサーバーがＭＭＥにより前記各端末の状態を判断し、各端末に対して、アイドル状態にあると判断された場合、ステップＳ２０３を実行し、接続状態にあると判断された場合、ステップＳ２０４を実行する。
【００３２】
Ｓ２０３について、クラスタサーバーがＭＭＥによりページングメッセージを、当該端末のトラッキングエリアリスト（ＴＡ  Ｌｉｓｔ）内の基地局に送信し、当該端末のある基地局にグループ通話にアクセスする端末のＩＤ情報、一時移動グループアイデンティティＴＭＧＩ及びＭＣＥが前記グループ通話に既に割当てた又は予め割当てたＭＢＳＦＮ領域情報をアップロードするように通知する
【００３３】
Ｓ２０４について、クラスタサーバーがＭＭＥにより当該端末の属する基地局に専用制御チャネル（Ｄｅｄｉｃａｔｅｄ  Ｃｏｎｔｒｏｌ  Ｃｈａｎｎｅｌ、ＤＣＣＨ）メッセージを送信し、当該基地局にグループ通話にアクセスする端末のＩＤ情報、ＴＭＧＩ及びＭＣＥが前記グループ通話にすでに割当てた又は予め割当てたＭＢＳＦＮ領域情報をアップロードするように通知する。
【００３４】
ステップＳ２０３において、ＭＭＥがトラッキングエリアリスト内の基地局にページングメッセージを送信する時、ページングメッセージを拡張することが好ましい。ＭＭＥが基地局に送信された拡張したページングメッセージには、ＴＭＧＩを含み、ここでは、各グループ通話を区別するために、各グループ通話にそれぞれ指定されたＴＭＧＩが割当てられ、且つ、どのグループ通話サービスデータを受信すべきかを判断するために端末毎に一つ乃至複数のＴＭＧＩが記憶され、ページングで送信するページングフレーム（Ｐａｇｉｎｇ  Ｆｒａｍｅ、ＰＦ）とペンタックス機会（Ｐａｇｉｎｇ  Ｏｃｃａｓｉｏｎ）は、端末の国際モバイルユーザ識別番号（Ｉｎｔｅｒｎａｔｉｏｎａｌ  Ｍｏｂｉｌｅ  Ｓｕｂｓｅｒｉｂｒｌｄｅｎｔｉｆｉｃａｔｉｏｎ  Ｎｕｍｂｅｒ、ＩＭＳＩ）により算出してもよいし、ＴＭＧＩにより算出してもよく、具体的な計算方法は既存技術に属し、ここは詳しく説明しない。
【００３５】
具体的には、上記ステップＳ２０３において、クラスタサーバーが受信したこれらのループ通話にアクセスした端末のＩＤ情報、ＴＭＧＩ及びＭＣＥがグループ通話に既に割り当てた又は予め割当てたＭＢＳＦＮ領域情報は、基地局によりアップロードされたものである。以下、アイドル状態にある端末を例として、基地局がグループ通話にアクセスした端末の情報をアップロードする具体的なプロセスを説明する。
【００３６】
即ち、基地局がアイドル状態にある端末に拡張したページングメッセージを送信するステップと、
アイドル状態にある端末が拡張したページングメッセージを受信してから、自らで自身のページングメッセージにおけるＴＭＧＩが自身の所属するグループ通話であるか否かを判定し、一部の端末が自身の所属するグループ通話であると確認してから、当該グループ通話に応答することを確定する、即ち、これらの端末がグループ通話応答状態にアクセスした端末である。一つのグループ通話応答状態にアクセスした端末を例として、当該端末が所属する基地局に無線リソース制御プロトコル（Ｒａｄｉｏ  Ｒｅｓｏｕｒｃｅ  Ｃｏｎｔｒｏｌ、ＲＲＣ）を呼出し，接続を確立し、所属する基地局との接続確立が成功してから、自身のＩＤ情報及びＴＭＧＩを基地局にアップロードするステップと、
基地局が端末ＩＤ情報、ＴＭＧＩ及びＭＣＥがグループ通話に既に割り当てた又は予め割当てたＭＢＳＦＮ領域情報をクラスタサーバーにアップロードするステップとを含む。
【００３７】
本発明の実施例において、各ＭＢＳＦＮ領域における端末の数を容易に統計できるように、クラスタサーバーは、各異なる応答状態の端末の所属する基地局により転送された、ＭＣＥがグループ通話に既に割り当てた又は予め割当てたＭＢＳＦＮ領域情報を受信する他に、各異なる応答状態の端末の所属する基地局により転送された、各端末のＩＤ情報とＴＭＧＩをも受信する。
【００３８】
上記各基地局が、グループ通話にアクセスした端末のすべての情報を転送してから、クラスタサーバーが各基地局により報告された各ＭＣＥがグループ通話に既に割り当てた又は予め割当てたＭＢＳＦＮ領域を受信し、各ＭＢＳＦＮ領域における端末の数が０から非０になったと統計された時、クラスタサーバーがＭＭＥによりｅＭＢＭＳサービスセッション開始／更新プロセスを自発的に呼び出し、ＭＣＥがセッショを開始／更新要求を受信してから、予め割当てたＭＢＳＦＮ領域において、グループ通話にリソースを割当てる、即ち、ＰＭＣＨリソースを割当てる。
【００３９】
上記ステップＳ２０４において、接続状態にあり、且つグループ通話にアクセスした端末に対して、基地局が接続状態にある端末に送信したのはＤＣＣＨメッセージであることが好ましい。他のプロセスは上記ステップＳ２０３におけるアイドル状態にあり且つグループ通話にアクセスする端末の場合、基地局が端末の情報をアップロードするというプロセスと同様であるので、ここでは詳しく説明しない。
【００４０】
好ましくは、ステップＳ１０２において、以下、端末のグループ通話へのアクセスを遅延する、グループ通話応答状態端末がグループ通話からログアウトする、又はグループ通話応答状態端末が異なるＭＢＳＦＮ領域で移動するという３種類の状況において、クラスタサーバーは、ＭＣＥがグループ通話に既に割り当てた及び予め割当てたＭＢＳＦＮ領域における端末の数を改めて統計するプロセスについて、それぞれ説明する。
【００４１】
第１種類の状態において、端末がグループ通話へのアクセスを遅延するとき、クラスタサーバーが、グループ通話へのアクセスを遅延する端末の所属する基地局により転送された、ＭＣＥがグループ通話に既に割り当てた又は予め割当てたＭＢＳＦＮ領域情報を受信した場合、当該ＭＢＳＦＮ領域における端末の数に１をプラスする。
【００４２】
以下、グループ通話へのアクセスを遅延する端末を例として、所属する基地局がクラスタサーバーに当該端末のＩＤ情報、ＴＭＧＩ及びＭＣＥがグループ通話に既に割り当てたＭＢＳＦＮ領域情報又はＭＣＥがグループ通話に予め割当てたＭＢＳＦＮ領域情報を転送する具体的なプロセスついて説明する。
【００４３】
即ち、当該端末の所属する基地局が当該端末によりアップロードされたＩＤ情報とＴＭＧＩを受信するステップと；
基地局は、当該端末によりアップロードされたＩＤ情報とＴＭＧＩにより、当該端末がＭＣＥがグループ通話に既に割り当てたＭＢＳＦＮ領域にあるか否かを判定するステップと、
そうである場合、基地局が直接当該端末のＩＤ情報、ＴＭＧＩ及びＭＣＥがグループ通話に既に割り当てたＭＢＳＦＮ領域情報をクラスタサーバーに転送ステップと、（この場合、ＭＣＥがグループ通話に既に割り当てたＭＢＳＦＮ領域情報は即ち端末がこれからグループ通話を受信するＭＢＳＦＮ領域である）
そうでない場合、基地局は、ＭＣＥがグループ通話に予め割当てたＭＢＳＦＮ領域としてＭＢＳＦＮ領域を再選択するようにＭＣＥに通知し、基地局がＭＣＥがグループ通話に予め割当てたＭＢＳＦＮ領域情報を受信してから、当該端末のＩＤ情報とＴＭＧＩとをまとめてクラスタサーバーに転送する（この場合、ＭＣＥがグループ通話に予め割当てたＭＢＳＦＮ領域は即ち端末がこれからグループ通話を受信するＭＢＳＦＮ領域である）ステップとを含む。
【００４４】
第２種類の状況において、グループ通話応答状態端末がグループ通話からログアウトしたとき、当該端末が今までＲＲＣ_ＩＤＬＥ状態にあるか、それとも今までＲＲＣ_ＣＯＮＮＥＣＴＥＤ状態にあるかにも関わらず、クラスタサーバーは、グループ通話からログアウトする端末の所属する基地局により転送された、ＭＣＥがグループ通話に既に割り当てたＭＢＳＦＮ領域情報を受信した場合、当該ＭＢＳＦＮ領域における端末の数から１をマイナスする。この場合、当該ＭＢＳＦＮ領域は即ち端末がこれからグループ通話の受信を中止する領域である。
【００４５】
以下、グループ通話をログアウトする端末を例として、所属する基地局がクラスタサーバーに当該端末のＩＤ情報。ＴＭＧＩ、及びＭＣＥがグループ通話に既に選択されたＭＢＳＦＮ領域情報を転送するプロセスを説明する。
【００４６】
即ち、グループ通話をログアウトする端末が所属する基地局に自身のＩＤ情報、ＴＭＧＩ及びＭＣＥがグループ通話に既に割り当てたＭＢＳＦＮ領域をアップロードするステップと、
当該基地局が当該端末によりアップロードされたＩＤ情報、ＴＭＧＩ及びＭＣＥがグループ通話に既に割り当てたＭＢＳＦＮ領域情報を受信してから、クラスタサーバーに転送するステップとを含む。
【００４７】
第３種類の状況において、グループ通話応答状態端末が異なるＭＢＳＦＮ領域で移動する時、クラスタサーバーは、異なるＭＢＳＦＮで移動する端末のターゲット基地局により転送された、ターゲット基地局の所属するＭＣＥがグループ通話に既に割り当てた又は予め割当てたＭＢＳＦＮ領域情報を受信した場合、当該ＭＢＳＦＮ領域における端末の数に１をプラスし、端末のあるソース基地局に所属するＭＣＥがグループ通話に既に割り当てたＭＢＳＦＮ領域における端末の数から１をマイナスする。
【００４８】
以下、異なるＭＢＳＦＮ領域で移動する端末を例として、当該端末の所属するターゲット基地局がクラスタサーバーに当該端末のＩＤ情報、ＴＭＧＩとターゲット基地局に所属するＭＣＥがグループ通話に既に割り当てた又は予め割当てたＭＢＳＦＮ領域情報を転送するプロセスについて説明する。
【００４９】
即ち、端末の所属するターゲット基地局が、当該端末によりアップロードされたＩＤ情報、ＴＭＧＩ及びソース基地局に所属するＭＣＥがグループ通話に既に割り当てたＭＢＳＦＮ領域情報を受信するステップと、
ターゲット基地局が当該端末によりアップロードされたこれらの情報により、ターゲット基地局のＭＢＳＦＮ配置情報には、端末が報告したソース基地局に所属するＭＣＥがグループ通話に既に割り当てたＭＢＳＦＮ領域が含まれるか否か、を判断するステップと、
含まれる場合、ターゲット基地局がクラスタサーバーに情報をアップロードしないステップと、
含まれていない場合、ターゲット基地局が、そのＭＢＳＦＮ配置には、グループ通話にＭＢＳＦＮ領域及びＰＭＣＨリソースが割当てられているか否かを判定し、割当てられている場合、ターゲット基地局が端末のＩＤ情報、ＴＭＧＩ及びターゲット基地局に所属するＭＣＥがグループ通話に既に割り当てたＭＢＳＦＮ領域情報をクラスタサーバーに転送する、割当てられていない場合、ターゲット基地局がターゲット基地局に所属するＭＣＥに、グループ通話に予めＭＢＳＦＮ領域を割当てることを通知し、ターゲット基地局は、ターゲット基地局に所属するＭＣＥがグループ通話に予め割当てたＭＢＳＦＮ領域の情報を受信してから、当該端末のＩＤ情報とＴＭＧＩとをまとめてクラスタサーバーに転送するステップとを含む。
【００５０】
上記プロセスにおいて、端末がターゲット基地局に所属するＭＣＥがグループ通話に既に割り当てたＭＢＳＦＮ領域でグループ通話を受信することになり、ソース基地局に所属するＭＣＥが割り当てたＭＢＳＦＮ領域でグループ通話を受信しない。言い換えれば、ターゲット基地局に所属するＭＣＥがグループ通話に既に割り当てたまたは予め割当てたＭＢＳＦＮ領域は即ち端末が移動が発生した後にグループ通話を受信することに利用するＭＢＳＦＮ領域で、この前のソース基地局に所属するするＭＣＥがグループ通話に既に割り当てたＭＢＳＦＮ領域は即ち当該端末がこれからグループ通話の受信を中止するＭＢＳＦＮ領域である。
【００５１】
本発明の実施例において、クラスタサーバーが基地局により転送された端末の様々な情報を受信する度に、各ＭＢＳＦＮ領域における端末の数をリアルタイムに更新する。ＭＢＳＦＮ領域における端末の数が減少すると、このＭＢＳＦＮ領域における端末のＩＤ情報を削除し、且つその数から１をマイナスするが、ＭＢＳＦＮ領域における端末の数が増えると、このＭＢＳＦＮ領域における端末のＩＤ情報を追加し、且つその数に１をプラスする。また、クラスタサーバーがあるＭＢＳＦＮ領域における端末の数が０から非０になるとき、セッション開始／更新プロセスを呼出し、このＭＢＳＦＮ領域においてグループ通話にリソースを割り当てることをＭＣＥに通知し、あるＭＢＳＦＮ領域における端末の数が非０から０になるとき、セッション開始／更新プロセスを呼び出し、当該ＭＢＳＦＮ領域においてグループ通話に割り当てたリソースをリリースするようにＭＣＥに通知する。既存のセッション開始／更新プロセスと異なっているのは、ＭＣＥは、グループ通話に予め割当てたＭＢＳＦＮ領域及び後に当該ＭＢＳＦＮ領域におけるグループ通話のＰＭＣＨリソースを直接基地局に発行することである。既存技術のように、クラスタサーバーがセッション開始／更新プロセスを呼び出してから、ＭＣＥにＭＢＳＦＮ領域を選択させるのではない。上記のような方法によると、クラスタサーバーがそれぞれのグループ通話にどのようなＭＢＳＦＮ領域に割り当てたかを把握でき、且つ各ＭＢＳＦＮ領域における端末の数は即ちグループ通話を受信する端末の数で、リアルタイムの更新やメンテナンスを実現することができる。
【００５２】
同一の発明構想に基づき、本発明の実施例は、さらにクラスタシステムにおけるグループ通話リソース割り当てた装置を提供する。当該装置の課題を解決する原理と前記クラスタシステムにおけるグループ通話リソース割り当て方法と類似するため、当該装置の実施は前述した方法の実施を参照することができる。繰り返したものは説明しないことにする。
【００５３】
本発明の実施例は、クラスタシステムにおけるグループ通話リソース割り当て装置を提供する。図３に示すように、具体的には、
グループ通話が呼び出された時、各ＭＣＥが前記グループ通話に割当てた及び予め割当てたマルチキャストブロードキャストシングル周波数ネットワークＭＢＳＦＮ領域情報により、各ＭＣＥが前記グループ通話に既に割当てた及び予め割当てたＭＢＳＦＮ領域における端末の数を統計し、前記グループ通話の進行中に、端末がグループ通話へのアクセスを遅延、グループ通話状態端末がグループ通話をログアウト、又はグループ通話状態端末が異なるＭＢＳＦＮ領域で移動する場合、クラスタサーバーが、各ＭＣＥが前記グループ通話に既に割当てた及び予め割当てた全てのＭＢＳＦＮ領域における端末の数を改めて統計する統計モジュール３０１と、
統計モジュール３０１により統計された各ＭＢＳＦＮ領域に対して、ＭＢＳＦＮ領域における端末の数が０から非０になったと確定された場合、当該ＭＢＳＦＮ領域において前記グループ通話にリソースを割当てるプロセスを呼び出し、当該ＭＢＳＦＮ領域における端末の数が非０から０になったことと確定された場合、当該ＭＢＳＦＮ領域において前記グループ通話に割当てたリソースをリリースするプロセスを呼び出す呼出しモジュール３０２とを含む。
【００５４】
統計モジュール３０１は、ＭＭＥによりグループ内の各端末に対してグループ通話を呼び出し、ＭＭＥにより前記各端末の状態を判断して、各端末に対して、当該端末がアイドル状態にあると判断された場合、ＭＭＥによりページングメッセージを、端末のトラッキングエリアリスト内の基地局に送信し、当該端末のある基地局にグループ通話にアクセスする端末のＩＤ情報、ＴＭＧＩ及びＭＣＥが前記グループ通話に既に割当てた又は予め割当てたＭＢＳＦＮ領域情報をアップロードするように通知して、端末が接続状態にあると判断された場合、ＭＭＥにより当該端末の属する基地局に専用制御チャネルＤＣＣＨメッセージを送信し、当該基地局にグループ通話にアクセスする端末のＩＤ情報、ＴＭＧＩ及びＭＣＥが前記グループ通話にすでに割当てた又は予め割当てたＭＢＳＦＮ領域情報をアップロードするように通知することが好ましい。
【００５５】
統計モジュール３０１は、グループ通話へのアクセスを遅延する端末の所属する基地局により転送された、ＭＣＥが前記グループ通話に既に割当てた又は予め割当てたＭＢＳＦＮ領域情報を受信した場合、当該ＭＢＳＦＮ領域における端末の数に１をプラスすることが好ましい。
【００５６】
前記統計モジュール３０１は、グループ通話をログアウトした端末の所属する基地局により転送された、ＭＣＥが前記グループ通話に既に割当てたＭＢＳＦＮ領域情報を受信した場合、当該ＭＢＳＦＮ領域における端末の数から１をマイナスすることが好ましい。
【００５７】
統計モジュール３０１は、クラスタサーバーが、異なるＭＢＳＦＮ領域で移動する端末の所属するターゲット基地局により転送された、当該ターゲット基地局に所属するＭＣＥが前記グループ通話に既に割当てた又は予め割当てたＭＢＳＦＮ領域情報を受信した場合、当該ＭＢＳＦＮ領域における端末の数に１をプラスして、当該端末のあるソース基地局に所属するＭＣＥが前記グループ通話に既に割り当てたＭＢＳＦＮ領域における端末の数から１をマイナスするが好ましい。
【００５８】
呼出しモジュール３０２は、セッションの開始／更新プロセスを呼び出すことにより、ＭＣＥが前記グループ通話に予め割当てたＭＢＳＦＮ領域において、前記グループ通話にリソースを割当て、ＭＣＥが前記グループ通話に既に割当てたＭＢＳＦＮ領域におけるリソースをリリースするように、ＭＣＥに通知することが好ましい。
【００５９】
本発明の実施例に係わるクラスタシステムにおけるグループ通話リソース割当て方法及び装置によると、当該方法が実現されるとき、クラスタサーバーによりグループ通話が呼出された場合、各ＭＣＥがグループ通話に既に割り当てたＭＢＳＦＮ領域における端末の数が統計され、後続の前記グループ通話の進行中に、端末がグループ通話へのアクセスを遅延、グループ通話状態端末がグループ通話をログアウト、又はグループ通話状態端末が異なるＭＢＳＦＮ領域で移動するとき、クラスタサーバーにより各ＭＣＥがグループ通話に既に割り当てた及び予め割当てた全てのＭＢＳＦＮ領域における端末の数が改めて統計され、ＭＢＳＦＮ領域における端末の数が０から非０になると確定された場合、当該ＭＢＳＦＮ領域においてグループ通話にリソースを割当てるプロセスを呼出し、ＭＢＳＦＮ領域における端末の数が非０から０になったと確定された場合、クラスタサーバーが当該ＭＢＳＦＮ領域においてグループ通話に割当てたリソースをリリースするプロセスを呼び出すことになっている。本発明の実施例は、各ＭＢＳＦＮ領域において、グループ通話を受信する端末の数により、グループ通話に対してリソースを割当て、リアルタイムの更新とメンテナンスに有利し、既存のグループ通話において、ＭＢＳＦＮ領域の固定配置によるリソースの無駄使いという課題が回避されている。
【００６０】
言うまでもなく、当業者であれば、本発明の精神や原則を逸脱しない様々な変更や変形が可能である。このように、本発明のこれらの変更や変形は本発明の特許請求の範囲及びその等価技術の範囲内にある場合、本発明はこれらの変更や変形についても保護を求めている。
【符号の説明】
【００６１】
３０１  統計モジュール
３０２  呼び出しモジュール
【図１】
2015529421.tif 000003
【図２】
2015529421.tif 000004
【図３】
2015529421.tif 000005
【国際調査報告】
2015529421.tif 000006
2015529421.tif 000007
2015529421.tif 000008
2015529421.tif 000009
2015529421.tif 000010
2015529421.tif 000011